(57)【要約】      （修正有）【課題】観賞用シートの位置決めができるとともに、交換時にシートを擦らずに取り出すことが可能な、シートを両面より挟んで収容する表板および裏板を有するシート収容ケースを提供する。【解決手段】シート収容ケース１は、シートの両面を挟む表板２および裏板３を備え、裏板にシートの縁部を当接させることにより位置決めを行う位置決めピン（位置決め部材）４ａ，ｄ，ｅが表板側へ裏板に対して鉛直方向に伸びて形成されているとともに、表板に位置決めピンと嵌合するガイド孔（ガイド部材）１０ａ，ｄ，ｅが奥端縁１ａの側に円弧状に曲がって形成する。【選択図】図５
2014008338.tif 000002
【特許請求の範囲】
【請求項１】
鑑賞用シートを両面より挟んで収容する表板および裏板を有するシート収容ケースであって、
前記裏板には、前記シートの縁部を当接させることにより前記シートの位置決めを行うとともに前記裏板から前記表板側へ前記裏板に対して所定方向に伸びる位置決め部材が形成され、
前記表板には、前記位置決め部材と嵌合するとともに、ケースを載置した状態で奥端または基端のうち近傍に位置する一方側のケース端縁の側に円弧状に曲がって伸びるガイド部材が形成されることを特徴とするシート収容ケース。
【請求項２】
前記ガイド部材は、前記一方側のケース端縁からの距離が近い側より遠い側の方が曲率半径の大きい円弧状に曲がって伸びる請求項１に記載のシート収容ケース。
【請求項３】
前記位置決め部材および前記ガイド部材は、それぞれ複数形成され、
前記ガイド部材の前記一方側のケース端縁を、前記奥端または前記基端に最も突出する部分から水平方向に引いた線と定義した場合に、前記一方側のケース端縁からの距離が近い側より遠い側に形成される前記ガイド部材の方が曲率半径の大きい円弧状に曲がって伸びる請求項１または２に記載のシート収容ケース。
【請求項４】
前記ガイド部材の曲率半径は、前記一方側のケース端縁を中心として設定される請求項３に記載のシート収容ケース。
【請求項５】
幅方向に対称形をなし、前記位置決め部材および前記ガイド部材が幅方向中心を挟んで対称位置に形成される請求項１から４のいずれかに記載のシート収容ケース。
【請求項６】
前記位置決め部材は、所定サイズの前記シートの幅方向両端の角部が挿入されるように対をなして形成される請求項１から５のいずれかに記載のシート収容ケース。
【請求項７】
前記一方側のケース端縁の反対側に位置する他方側のケース端縁の側に、前記表板を開閉するための操作機構を有する請求項１から６のいずれかに記載のシート収容ケース。
【請求項８】
前記操作機構は、長径および短径を有する形状からなる駒を備え、この駒の長径方向端を係合させることにより前記表板を押し開け、前記長径方向端の係合を解除することにより前記表板を閉じる請求項７に記載のシート収容ケース。
【請求項９】
前記駒は楕円形をなし、長径方向端に切欠きが形成される請求項８に記載のシート収容ケース。
【請求項１０】
前記表板および前記裏板の少なくとも一方には、前記駒が嵌る溝が形成される請求項８または９に記載のシート収容ケース。
【請求項１１】
前記位置決め部材よりケース外方に挿通孔が形成され、前記裏板の裏面に磁石を備え、さらに専用のスタンドを有する請求項１から１０のいずれかに記載のシート収容ケース。
【発明の詳細な説明】
【技術分野】
【０００１】
本発明は、鑑賞用シートを両面より挟んで収容する表板および裏板を有するシート収容ケースに関する。
【背景技術】
【０００２】
従来の写真立て、写真枠、ピクチャーフレーム等の名称で呼ばれる、写真や絵といった鑑賞用シートを収容するシート収容ケースは、例えば図９に示すケース１０１のような構造を採っている。つまり、表板１０２と裏板１０３との間にシート１０４を挟み、額縁１０５により双方の板１０２，１０３を押さえ付け、裏板１０３を嵌め込むか図示しない止め具等により裏面で額縁１０５を固定する。
【０００３】
しかし、この構造では、シート１０４の交換時（取出し時も含む場合がある。以下、同じく。）に額縁１０５を外したり付けたりする作業が面倒な場合がある。また、額縁１０５がケース１０１の内側および外側の双方に張り出すことになるため、内側への張出しによりシート１０４の鑑賞時に圧迫感を与え得る一方、外側への張出しによりスペースを余分にとる。さらに、額縁１０５が目立つためにシート内の画像が目立ちにくいという欠点もあった。
【０００４】
そのため、例えば図１０に示すケース１１１のように、表板１０２および裏板１０３の双方にネオウジウム磁石等の磁石１１２を備え、この磁石１１２により両板１０２，１０３を互いに取り付ける、額縁の不要なシート収容ケースが流通するようになった。
【０００５】
なお、これらのシート収容ケースは、専門店や量販店、あるいは通信販売にて市販されているが、適切な先行技術文献は発見されなかった。
【発明の開示】
【発明が解決しようとする課題】
【０００６】
ところで、図１０に示すケース１１１のようなシート収容ケースは、磁石１１２の磁力により表板と裏板を保持しているにすぎないため、シート１０４の保持力が強くなくケース１１１を立てた場合に位置ズレをすることがある問題があった。また、シート１０４の交換時には、表板１０２と裏板１０３を互いにスライドさせてシート１０４を取り出すためシート１０４を擦ってしまい、シート１０４の画像にキズをつける原因となっていた。
【０００７】
本発明の目的は、鑑賞用シートを両面より挟んで収容する表板および裏板を有するシート収容ケースであって、シートの位置決めができるとともに、交換時にシートを擦らずに取り出すことができるシート収容ケースを提供することにある。
【課題を解決するための手段】
【０００８】
＜１＞  鑑賞用シートを両面より挟んで収容する表板および裏板を有するシート収容ケースであって、前記裏板には、前記シートの縁部を当接させることにより前記シートの位置決めを行うとともに前記裏板から前記表板側へ前記裏板に対して所定方向に伸びる位置決め部材が形成され、前記表板には、前記位置決め部材と嵌合するとともに、ケースを載置した状態で奥端または基端のうち近傍に位置する一方側のケース端縁の側に円弧状に曲がって伸びるガイド部材が形成されることを特徴とするシート収容ケースである。
【０００９】
＜２＞  前記ガイド部材は、前記一方側のケース端縁からの距離が近い側より遠い側の方が曲率半径の大きい円弧状に曲がって伸びる＜１＞に記載のシート収容ケースである。
【００１０】
＜３＞  前記位置決め部材および前記ガイド部材は、それぞれ複数形成され、前記ガイド部材の前記一方側のケース端縁を、前記奥端または前記基端に最も突出する部分から水平方向に引いた線と定義した場合に、前記一方側のケース端縁からの距離が近い側より遠い側に形成される前記ガイド部材の方が曲率半径の大きい円弧状に曲がって伸びる＜１＞または＜２＞に記載のシート収容ケースである。
【００１１】
＜４＞  前記ガイド部材の曲率半径は、前記一方側のケース端縁を中心として設定される＜３＞に記載のシート収容ケースである。
【００１２】
＜５＞  幅方向に対称形をなし、前記位置決め部材および前記ガイド部材が幅方向中心を挟んで対称位置に形成される＜１＞から＜４＞のいずれかに記載のシート収容ケースである。
【００１３】
＜６＞  前記位置決め部材は、所定サイズの前記シートの幅方向両端の角部が挿入されるように対をなして形成される＜１＞から＜５＞のいずれかに記載のシート収容ケースである。
【００１４】
＜７＞  前記位置決め部材は、前記シートの幅方向が長手方向であっても短手方向であっても当該シートの角部が挿入可能なように、それぞれ対をなして形成される＜６＞に記載のシート収容ケースである。
【００１５】
＜８＞  前記所定サイズは、写真のＬ判およびＫＧ判に相当する大きさである＜６＞または＜７＞に記載のシート収容ケースである。
【００１６】
＜９＞  前記一方側のケース端縁の反対側に位置する他方側のケース端縁の側に、前記表板を開閉するための操作機構を有する＜１＞から＜８＞のいずれかに記載のシート収容ケースである。
【００１７】
＜１０＞  前記操作機構は、長径および短径を有する形状からなる駒を備え、この駒の長径方向端を係合させることにより前記表板を押し開け、前記長径方向端の係合を解除することにより前記表板を閉じる＜９＞に記載のシート収容ケースである。
【００１８】
＜１１＞  前記駒は楕円形をなし、長径方向端に切欠きが形成される＜１０＞に記載のシート収容ケースである。
【００１９】
＜１２＞  前記表板および前記裏板の少なくとも一方には、前記駒が嵌る溝が形成される＜１０＞または＜１１＞に記載のシート収容ケースである。
【００２０】
＜１３＞  前記表板および前記裏板には、深さの合計が前記駒の短径の長さに相当するように、それぞれ溝が形成される＜１２＞に記載のシート収容ケースである。
【００２１】
＜１４＞  前記位置決め部材よりケース外方に挿通孔が形成され、前記裏板の裏面に磁石を備え、かつ専用のスタンドを有する＜１＞から＜１３＞のいずれかに記載のシート収容ケースである。
【００２２】
＜１５＞  前記表板および前記裏板には、この両板を互いに取り付ける磁石を備える＜１＞から＜１４＞のいずれかに記載のシート収容ケースである。
【発明の効果】
【００２３】
本発明のシート収容ケースによれば、裏板に、シートの縁部を当接させることによりシートの位置決めを行う位置決め部材が形成されているので、シートの位置決めができる。また、表板に、位置決め部材と嵌合するとともに近傍に位置する一方側のケース端縁の側に円弧状に曲がって伸びるガイド部材が形成されているので、そのケース端縁を支点として表板を開くことができる。これにより、表板を開けば裏板との間に隙間が生じるので、シート交換時には生じた隙間からシートを擦らずに取り出すことができる。
【図面の簡単な説明】
【００２４】
【図１】図１は、本発明のシート収容ケースの斜視図である。
【図２】図２（ａ）は本発明のシート収容ケースの平面図、図２（ｂ）は底面図、図２（ｃ）は正面図、図２（ｄ）は側面図である。
【図３】図３は、シート収容ケースを開いた状態を示す斜視図である。
【図４】図４は、ガイド孔を説明するための斜視図である。
【図５】図５（ａ）はガイド孔を説明するための側面図であり、図５（ｂ）は（ａ）のｂ部拡大図である。
【図６】図６（ａ），（ｂ）は本発明のシート収容ケースの拡大正面図であり、（ａ）は閉じた状態を、（ｂ）は開いた状態を、それぞれ示す。
【図７】図７（ａ）〜（ｃ）は、本発明のシート収容ケースの各使用態様を示す図である。
【図８】図８（ａ）〜（ｆ）は、本発明のシート収容ケースの各変形例を示す図である。
【図９】図９は、従来のシート収容ケースを示す図である。
【図１０】図１０は、従来のシート収容ケースを示す図である。
【発明を実施するための形態】
【００２５】
本発明の各実施の形態を、図面を参照しながら詳細に説明する。なお、各実施の形態を説明するための全図において同一機能を有するものは原則として同一の符号を付すようにし、その繰り返しの説明は可能な限り省略するようにしている。また、図によっては、理解を容易にするために、部材によって色調を変えた塗りつぶしをしてあるが、実際には、そのような色調により部材を形成しなくてよい。
【００２６】
図１は本発明のシート収容ケースの斜視図、図２（ａ）は平面図、図２（ｂ）は底面図、図２（ｃ）は正面図、図２（ｄ）は側面図、図３はシート収容ケースを開いた状態を示す斜視図である。図４はガイド孔を説明するための斜視図、図５（ａ）はガイド孔を説明するための側面図、図５（ｂ）は（ａ）のｂ部拡大図である。図６（ａ），（ｂ）は本発明のシート収容ケースの拡大正面図であり、（ａ）は閉じた状態を、（ｂ）は開いた状態を、それぞれ示す。
【００２７】
図１および図２に示すように、本発明のシート収容ケース（以下、単に「ケース」と称することもある。）１は、表板２と、裏板３と、位置決めピン（位置決め部材）４ａ〜ｊと、磁石５ａ〜５ｉと、ツマミ６と、ヒモ挿通部７ａ，７ｂと、から主に構成されている。
【００２８】
表板２は、アクリル樹脂、ガラス等よりなる透明な板であり、シート８の表面側に当接して蓋板として機能するとともに、シート８に表示される画像やデザインを明瞭に透視できるようになっている。また、表板２は、図１および図２の例では、平面が、幅方向（左右）に対称のハート型に形成されている。なお、表板２は、アクリルボードであることが、操作をしやすく壊れにくいことから好ましい。
【００２９】
裏板３は、表板２と同一の平面形をなし、シート８の裏面側に当接し、ケース１を載置した場合には底板として機能する。つまり、ケース１は、表板２と裏板３とにより、シート８を挟んで収容するようになっている。
【００３０】
位置決めピン４ａ〜ｊは、シート８の縁部を当接させることにより位置決めを行う部材であり、４ａと４ｊ、４ｂと４ｉ、４ｃと４ｈ、４ｄと４ｇ、４ｅと４ｆで、それぞれケース１の幅方向中心を挟んで対称となる位置に形成されている。これらの位置決めピン４ａ〜ｊのうち、４ｄ，４ｅおよび４ｆ，４ｇは、写真のＬ判に相当する大きさのシート８を短手方向が幅方向となるように収容した場合に、幅方向両端の角部が、４ｄ，４ｅの間および４ｆ，４ｇの間にそれぞれ挿入されるように、対をなして形成されている。また、４ａ，４ｂおよび４ｉ，４ｊは、上記サイズのシート８の長手方向が幅方向となるように収容した場合に、４ａ，４ｂの間および４ｉ，４ｊの間に同様にシート８を保持するように形成されている。さらに、４ｃおよび４ｈは、ＫＧ判（はがきサイズ）に相当する大きさのシート８の長手方向を幅方向とした場合に、４ａ，４ｃの間および４ｈ，４ｊの間に同様にシート８を保持するように形成されている。
【００３１】
なお、位置決めピン４ａ〜ｊは、本数を少なくしてもよいし、不規則に配置してもよいが、通常、ケース１は定型のシート８を収容するため、例えば写真のＬ判、Ｅ判、ＫＧ判等の規格のあるサイズに合わせて規則的に配置することが好ましい。
【００３２】
磁石５ａ〜ｆは、表板２と裏板３の係合力およびシート８の保持力を高めるための部材であり、磁石５ａ〜ｃが表板２の裏面に、磁石５ｄ〜ｆが裏板３の表面に、それぞれ設けられ、磁石５ａと５ｄ、磁石５ｂと５ｅ、磁石５ｃと５ｆが各々対応するようになっている。なお、図１および図２においては、それぞれの磁石が重なっているため、同一の部材のように視認される。また、磁石５ａ〜ｆは、表板２および裏板３の内部に存在するが、理解しやすくするために描いてある。
【００３３】
これらの磁石５ａ〜ｆのうち、磁石５ａ，５ｄおよび５ｃ，５ｆは、位置決めピン４ｂ，４ｃ間および４ｈ，４ｉの間の若干奥方に、それぞれ設けられている。また、磁石５ｂ，ｅは、ケース１の基端近傍であって、磁石５ａ，５ｄと磁石５ｃ，５ｆの中間位置に設けられている。つまり、磁石５ａ〜ｆは、互いに線で結んだ場合に略正三角形が形成されるような概ね均等な位置に、それぞれ設けられており、これにより、位置によって係合力にムラが生じないようになっている。
【００３４】
また、磁石５ｇ〜ｉは、図２（ｂ）に示すように、裏板３の裏面に、上述の磁石５ａ〜ｆと同様に概ね均等に配置されており、磁気を有する板に取り付けられるようになっている。なお、磁石５ｇ〜ｉの代わりに、例えば裏板３の裏面全体や中心部に、マグネットシートを付けておいてもよい。
【００３５】
磁石５ａ〜ｉとしては、通常市販されているような永久磁石であれば特に制限はないが、例えばネジウム磁石等の磁力の強いものが好ましい。
【００３６】
ツマミ６は、ケース１の基端に突出して設けられており、図３に示すように、時計回りに回転させることにより表板２を開ける（図３中、矢印α参照）とともに、さらに時計回りに回転させることにより表板２を閉じられるようになっている（図３中、矢印β参照）。
【００３７】
ヒモ挿通部７ａ，７ｂは、ケース１の奥方両端に斜方に突出して、ケース１幅方向中心を挟んで一対に設けられている。そして、これらの中央には、挿通孔９ａ，９ｂが、表板２から裏板３までに、それぞれ貫通して形成されており、ここにヒモを通せるようになっている。なお、挿通孔９ａ，９ｂは、位置決めピン４ａ〜ｊよりもケース外方であれば、ヒモ挿通部７ａ，７ｂを設けずに、本体（ハート型の部分）に形成してもよい。
【００３８】
シート８は、図１および図２の例では、写真のＬサイズに相当する大きさのシートであり、短手の幅方向として角部８ａおよび８ｂが、位置決めピン４ｄ，４ｅの間および４ｆ，４ｇの間にそれぞれ挿入されている。シート８の大きさや形状としては、位置決めピン４ａ〜ｊにより位置決めをできれば特に制限はないが、通常は所定のサイズのシートを収容させる。シート８の種類としては、写真が最も一般的であるが、絵画や絵はがきであってもよいし、刺繍や薄い金属レリーフ等の鑑賞価値があるものであれば、特に制限はない。
【００３９】
ところで、図１および図２では一体となってしまうため判別できないが、位置決めピン４ａ〜ｊは、表板２の裏面から伸びるガイド孔（ガイド部材）１０ａ〜ｊ（図３参照）に各々挿入されている。そこで、これらのうち、位置決めピン４ａ，ｄ，ｅおよびガイド孔１０ａ，ｄ，ｅを例として、図４および図５を参照しながら、その形状を説明する。
【００４０】
位置決めピン４ａ，ｄ，ｅは、裏板３の内部から表面側（表板２側）に突出し、裏板３に対して鉛直方向に伸びて形成されている。一方、ガイド孔１０ａ，ｄ，ｅは、表板２を裏板３に重ねた際に、裏面の位置決めピン４ａ，ｄ，ｅの先端と対峙する位置から、表面側に、ガイド孔１０ａ，ｄ，ｅから近い側の（一方側の）ケース端縁である奥端縁１ａの側に円弧状に曲がって伸びるように削られている。ここで、奥端縁１ａは、図４に示すように、挿通部７ａ，７ｂを除いた本体において、奥端に最も突出する部分から水平方向に引いた線を指す。
【００４１】
このように、ガイド孔１０ａ，ｄ，ｅを奥端縁１ａ側に曲げたことにより、表板２は、奥端縁１ａを支点として、奥端縁１ａの反対側に位置する（他方側の）ケース端縁である基端縁１ｂから開くことができ、生じた隙間ｃ（図５（ｂ）参照）から収容していたシートを取り出せる。ガイド孔１０ａ，ｄ，ｅが基端縁１ｂ側に円弧状に曲がっていたり、直線状に伸びている場合には、基端縁１ｂから表板２を開くことができず、シートを取り出せない。なお、基端縁１ｂは、原則的には基端に最も突出する部分から水平方向に引いた線を指すが、奥端縁１ａのように、そこからの距離により部材形状が決定されるものではないので、概ね基端に最も突出する部分を意味すると考えればよい。
【００４２】
表板２を開けるために両側から持ち上げるのでは、両手を使わなければならないので操作しにくい。特に、表板２と裏板３が磁石５ａ〜ｆにより係合している場合には、その係合力に抗して持ち上げなければならず大きな力が入る。そのため、表板３の片側を持ち上げるだけで開けることができる構造が必要になる。本発明者は、これを実現するためには、どのようにすればよいか鋭意検討を重ねた結果、位置決めピン４ａ，ｄ，ｅを挿入するガイド孔１０ａ，ｄ，ｅを、上述したような円弧状に形成することを見出したのである。
【００４３】
また、各ガイド孔１０ａ，ｄ，ｅは、孔径のため、同じ孔であっても、奥端縁１ａからの距離が近い側（図５（ｂ）では、Ｒ２、Ｒ４、Ｒ６に相当）と遠い側（図５（ｂ）では、Ｒ１、Ｒ３、Ｒ５に相当）とが生じるが、近い側より遠い側の方が、曲率半径の大きい円弧状に曲がって伸びている。これにより、ガイド孔１０ａ，ｄ，ｅの孔径を、孔の深さ方向に沿ってほぼ一定に維持でき、位置決めピン４ａ，ｄ，ｅを挿入しやすくなるとともに、表板２をスムーズに開きやすくなる。
【００４４】
さらに、ガイド孔１０ａ，ｄ，ｅは、表板２をよりスムーズに開きやすくするために、１０ｅ，ｄ，ａと、奥端縁１ａからの距離が離れるにしたがって、曲率半径の大きい円弧となるように形成されている。つまり、図５（ｂ）では、Ｒ１＞Ｒ２＞Ｒ３＞Ｒ４＞Ｒ５＞Ｒ６となっている。
【００４５】
つまり、支点となる奥端縁１ａからの距離が離れる程、表板２を開く際の回転半径が大きくなるが、それに合わせて曲率半径を大きくすることで、表板２をスムーズに開けるようにしているのである。
【００４６】
また、曲率半径Ｒ１〜Ｒ６は、奥端縁１ａを中心として設定されている。具体的には、曲率半径Ｒ１〜Ｒ６は、挿入する位置決めピン４ａ，ｄ，ｅにおける、奥端縁１ａからの近い側と遠い側の距離Ｌ１〜Ｌ６と、それぞれ同程度の長さとなっている。これにより、ガイド孔１０ａ，ｄ，ｅの孔径を、位置決めピン４ａ，ｄ，ｅの径と合わせて遊びの部分を最小限にしつつ、表板２をスムーズに開けることができる。なお、ガイド孔１０ａ，ｄ，ｅは、位置決めピン４ａ，ｄ，ｅに接触して擦れるのを防ぐために、孔径φ１〜φ３を位置決めピン４ａ，ｄ，ｅの径ｄ１〜ｄ３より若干大きめに形成する。また、開閉を繰り返すことにより若干拡がることも想定される。そのため、曲率半径Ｒ１〜Ｒ６は、距離Ｌ１〜Ｌ６より、数百μｍ程度大きめに形成してもよい。
【００４７】
さらに、表板２の厚さは通常１ｃｍ以下であり、ガイド孔１０ａ，ｄ，ｅは、ケース１全体の厚さが増すことを避けるために、表板２の内部に穿孔するので、その深さは表板２の厚さより浅いこととなる。そのため、位置決めピン４ａ，ｄ，ｅの裏板３からの突出長さも対応して制限されることになる。
【００４８】
次に、表板２を開閉するための、ツマミ６を含む操作機構について、図６を参照しながら説明する。
【００４９】
図６に示すように、操作機構Ｏは、ツマミ６と、駒１１とから構成されている。駒１１は、ツマミ６の操作により軸６ａ（図３および５参照）を介して回転する部材であり、楕円形をなしている。表板２が閉じた状態では、図６（ａ）に示すように、短径方向が高さ方向と一致するようになっている。また、表板２および裏板３には、溝２ａ，３ａが、開口面が対向するように形成されている。この溝２ａ，３ａは、双方を合わせると駒１１の短径の長さに相当する深さに形成されており、両溝２ａ，３ａにより囲まれた空間内に駒１１が嵌まり、両板２，３間に隙間が生じないようになっている。なお、表板３を開いた際に生じる隙間ｃを多くしてシートを取り出しやすくするように、表板２側の溝２ａの方が、裏板３側の溝３ａよりも深く形成されている。
【００５０】
この状態でツマミ６を時計回りに回し出すと、駒１１の長径方向一端（長径方向端）１１ａが表板２と係合し、磁石５ａ，５ｄ間、磁石５ｂ，５ｅ（図６では図示せず）間、磁石５ｃ，５ｆ間の係合を解除するとともに、表板２を溝２ａごと押し上げる。ツマミ６を時計回りに９０°まで回すことにより、図６（ｂ）に示すように、駒１１の長径方向が高さ方向と一致し、表板２を最も開いた状態となる。そして、さらに時計回りに９０°回すと、長径方向一端１１ａの表板２への係合が解除され、図６（ａ）に示す状態に戻る。ツマミ６は一般に右ネジで固定されるので、ネジが締まる方向である右回転、つまり時計回りに回転させることが好ましいが、反時計回りに９０°回転させることで開閉することも可能である。この際に、長径方向一端１１ａと他端１１ｂの位置が逆になってもよいことは言うまでもない。なお、図６では、磁石５ａ，ｃ，ｄ，ｆは、表板２および裏板３の内側に位置するため、点線で示すべきであるが、理解を容易にするために実線で示している。また、磁石５ｇ，５ｉは敢えて図示を省略している。
【００５１】
また、駒１１は、長径方向両端１１ａ，１１ｂが切欠きとなっており、図６（ｂ）に示すように、表板２を最も開いた状態では、自立しやすいようになっている。これにより、ツマミ６により押さえなくても表板２の開いた状態を維持でき、シートの出し入れが容易になる。さらに、駒１１が嵌まる、上述の溝２ａ，３ａが形成されているため、表板２を開いた際に、より安定して駒１１を自立させることができる。
【００５２】
ここで、操作機構Ｏは、表板２を開くことができれば、ツマミ６を回転させるものでなくてもよく、例えば、レバーを上下動操作することにより開閉する機構であってもよいし、表板２と裏板３との間にバネ等の付勢部材を備えておき、ツマミやレバーを押す操作により、付勢部材の付勢力を利用して開閉する機構であってもよい。また、駒１１は、長径と短径を有する形状であれば、長径方向両端１１ａ，１１ｂの係脱により表板２を開閉できるので、例えば菱形のような他の形状であってもよいが、スムーズな回転を考慮すると角がない形状であることが好ましく、上述したように楕円形であることが好適である。
【００５３】
つまり、ケース１は、上述したように、奥端縁１ａを支点として基端縁１ｂの側から表板２を開閉可能な構成であるため、基端縁１ｂの側に開閉機構Ｏを設ければ、簡単な操作により表板２を開閉することができるようになっている。
【００５４】
そして、上述の駒１１の係脱により表板２を開閉する機構であれば、ツマミ６を９０°回転させるだけで、表板２を開閉することができるのである。
【００５５】
ケース１は、載置した状態で使用することもできるが、立てた状態で、いわゆる写真立てとして複数の方法により使用することができる。以下、その使用方法について説明する。図７（ａ）は本発明のシート収容ケースの一使用態様を示す図であり、図７（ｂ）は本発明のシート収容ケースの他の使用態様を示す図であり、図７（ｃ）は本発明のシート収容ケースのさらに他の使用態様を示す図である。なお、図７では、実際の使用時の状況を、より理解しやすくするために、内側にあっても表板から透視できる部分は描いてある。また、図７と後述の図８では、図面を必要以上に複雑化するのを避けるために、位置決めピンや磁石の番号は必要最小限に付すのみに留めている。
【００５６】
まず、図７（ａ）に示すように、ケース１は、専用のスタンド１２を有しており、このスタンド１２に立てかけることで使用することができる。なお、このスタンド１２は、ケース１の形状に対応してハート型に形成された台部１３と、脚部１４とから構成され、台部１３にケース１を立てかけられるようになっている。
【００５７】
次に、図７（ｂ）に示すように、ケース１は、ヒモ挿通部７ａ，７ｂに形成された挿通孔９ａ，９ｂ間にヒモ１５を通し、このヒモ１５を壁面１６に設置した画鋲等の留め具１７に吊るすことにより、壁にかけることができる。
【００５８】
さらに、図７（ｃ）に示すように、ケース１は、裏板３の裏面に設けた磁石５ｇ〜ｉ（図２（ｂ）参照）により、冷蔵庫１８等の壁面が磁気を有する板よりなる機械やスチール棚に取り付けられるようになっている。
【００５９】
以上、本発明の実施の形態を詳細に説明したが、本発明のシート収容ケースは、上記実施の形態に限定されない。図８（ａ）〜（ｆ）は、本発明のシート収容ケースの各変形例を示す図である。
【００６０】
上記ケース１は対称形のハート型をなしているが、この形状に限らず他の対称形であってもよく、例えば、図８（ａ）に示すケース２１のように三角形状であってもよいし、図８（ｂ）に示すケース３１のように矩形状であってもよい。また、図８（ｃ）に示すケース４１のように五角形状や、図８（ｄ）に示すケース５１のように六角形状であってもよいし、星型等の他の多角形状であってもよい。さらに、図８（ｅ）に示すケース６１のように楕円形状であってもよい。この他、非対称の形状であってもよいが、収容するシートは通常、矩形状等の対称形であるので、対称形であることが好ましい。また、表板２を開閉する際に、幅方向に均一に力がかかりスムーズに開閉しやすいことからも、対称形であることが好ましい。
【００６１】
また、矩形状のケース３１のように、奥端縁３１ａの反対側の基端縁３１ｂに突出箇所がない態様では、デザインを良好にするために、図８（ｆ）に示すように、ツマミ６を基端縁３１ｂの若干内側に設けて、出っ張りをなくしてもよい。さらに、ケース３１以外の態様でも、同様な位置にツマミを設けてもよい。
【符号の説明】
【００６２】
１        シート収容ケース
１ａ      奥端縁
１ｂ      基端縁
２        表板
３        裏板
４ａ〜ｊ  位置決めピン（位置決め部材）
５ａ〜ｉ  磁石
６        ツマミ
６ａ      軸
７ａ，ｂ  ヒモ挿通部
８        シート
８ａ，ｂ  角部
９ａ，ｂ  挿通孔
１０ａ〜ｊ  ガイド孔（ガイド部材）
１１        駒
１１ａ      長径方向一端
１１ｂ      長径方向他端
１２        スタンド
１３        台部
１４        脚部
１５        ヒモ
１６        壁面
１７        留め具
１８        冷蔵庫
２１        シート収容ケース
３１        シート収容ケース
３１ａ      奥端縁
３１ｂ      基端縁
４１        シート収容ケース
５１        シート収容ケース
６１        シート収容ケース
ｃ          隙間
Ｒ１〜Ｒ６    曲率半径
Ｌ１〜Ｌ６    距離
φ１〜φ３    孔径
ｄ１〜ｄ３    位置決めピンの径
Ｏ          操作機構
【図４】
2014008338.tif 000003
【図５】
2014008338.tif 000004
【図６】
2014008338.tif 000005
【図８】
2014008338.tif 000006
【図９】
2014008338.tif 000007
【図１０】
2014008338.tif 000008
【図１】
2014008338.tif 000009
【図２】
2014008338.tif 000010
【図３】
2014008338.tif 000011
【図７】
2014008338.tif 000012